(57)【要約】【課題】制御盤周囲に十分なスペースを確保でき、開閉が容易で安定した制御盤付き開閉床板を持ったエスカレータ装置を提供する。【解決手段】エスカレータ乗場床の下方の機械室内を開閉する開閉床板の裏面に制御盤を取り付け、開閉床板は、反転して乗場床上に載置できるように回転して開閉できるようにするヒンジ機構により支持されている。ヒンジ機構は、開閉床板に枢着したロッドのガイドピンをガイドスロットによって高さの異なる二つの位置で選択的に保持可能にした。【効果】開閉床板が開閉両位置で安定し、機械室内作業も出入りも妨げず、開閉が容易で制御盤周囲に大きなスペースを確保できる。【選択図】図１
2010018424.tif 000002
【特許請求の範囲】
【請求項１】
エスカレータの乗場床の下方に設けられた機械室を開閉する開閉床板と、上記開閉床板の裏面に取り付けられて上記機械室内に設けられた制御盤とを備えたエスカレータ装置において、
上記開閉床板が、上記乗場床上に載置されるように回転して開閉できるようにするヒンジ機構により支持されてなることを特徴とするエスカレータ装置。
【請求項２】
上記ヒンジ機構が、上記開閉床板に一端で枢着されたガイドロッドと、上記ガイドロッドの他端に設けられたガイドピンと、上記ガイドピンを高さの異なる第１および第２の位置のいずれかで選択的に保持するガイドスロットとを備えていることを特徴とする請求項１に記載のエスカレータ装置。
【請求項３】
上記ガイドスロットが、上記第１および第２の位置間で半円状に延びたものであることを特徴とする請求項２に記載のエスカレータ装置。
【請求項４】
上記制御盤が防滴板を備えていることを特徴とする請求項１〜３のいずれか一項に記載のエスカレータ装置。
【請求項５】
上記開閉床板の反ヒンジ機構側に乗場床の保護を兼ねた着脱式の取っ手を取り付けられるようにしたことを特徴とする請求項１〜４のいずれか一項に記載のエスカレータ装置。
【発明の詳細な説明】
【技術分野】
【０００１】
本発明はエスカレータ装置に関し、特にエスカレータの乗場床の下方に設けられた機械室内を開閉する開閉床板と、上記開閉床板の裏面に取り付けられて上記機械室内に設けられた制御盤とを備えたエスカレータ装置に関するものである。
【背景技術】
【０００２】
従来のこの種のエスカレータ装置においては、制御盤がエスカレータの乗場床の下方に設けられた機械室内を開閉する開閉床板である可動床の裏面に取り付けられていて、開閉床板を開いたときに制御盤が機械室外に出せるようにしたものが提案されている。このようなエスカレータ装置においては狭隘な床下の機械室で保守点検作業をする必要がなく、制御盤を誤動作させる危険も少ない（例えば実開昭５９−１７６８６５号公報参照）。
【０００３】
【特許文献１】実開昭５９−１７６８６５号公報
【発明の開示】
【発明が解決しようとする課題】
【０００４】
しかしながら、このような従来のエスカレータ装置においては、開閉床板が乗場床にヒンジ結合されている場合には、制御盤が取り付けられた開閉床板を立てた姿勢で支持しておかねばならず、安全で安定した支持が困難であり、また機械室への出入り口を狭くしていて作業員の出入りが困難である。また、開閉床板が取り外し式で、反転して制御盤を上にして乗場床上に置くことができるようなものである場合には、安定の観点からは問題が無いが、重量のある開閉床板を制御盤と共に持ち上げなければならず、作業が過酷で困難であり、作業性も悪い。
【０００５】
従ってこの発明の目的は、開閉床板が開閉両位置で安定し、機械室を大きく開放できて機械室内作業も出入りも妨げず、操作盤周囲に十分なスペースを確保でき、開閉が容易な制御盤付き開閉床板を持ったエスカレータ装置を提供することである。
【課題を解決するための手段】
【０００６】
この発明によれば、エスカレータの乗場床の下方に設けられた機械室を開閉する開閉床板と、開閉床板の裏面に取り付けられて機械室内に設けられた制御盤とを備えたエスカレータ装置において、開閉床板が、乗場床上に載置されるように回転して開閉できるようにするヒンジ機構により支持されてなることを特徴とするエスカレータ装置が提供される。
【発明の効果】
【０００７】
この発明のエスカレータ装置によれば、開閉床板が開閉両位置で安定し、機械室を大きく開放できて機械室内作業も出入りも妨げず、操作盤周囲に十分なスペースを確保でき、開閉が容易電磁波障害も軽減できるという効果が得られる。
【発明を実施するための最良の形態】
【０００８】
実施の形態１．
図１〜７はこの発明のエスカレータ装置の一実施形態を示す概略図であり、図１はエスカレータ装置の機械室部分が閉じた状態での概略断面図であり、図２はエスカレータ装置の機械室部分が開いた状態での概略断面図であり、図３はエスカレータ装置の機械室部分が閉じた状態での概略斜視図であり、図４はエスカレータ装置の機械室部分が開いた状態での概略断面図であり、図５は開閉床板に取り付ける取っ手の斜め上から見た斜視図であり、図６は取っ手の斜め下から見た斜視図であり、図７は取っ手を取り付けて開閉床板を部分的に開けた状態を示す概略斜視図である。
【０００９】
この発明のエスカレータ装置は、図１に示すように、上下の乗場に跨って設けられ、図１においては乗場床１に接して配置されたトラス２と、トラス２内に形成された機械室３内に設けられて踏段（図示してない）および移動手摺４を駆動する電動機等の駆動装置５とを備えている。エスカレータ装置はまたトラス２にヒンジ機構６によって取り付けられて機械室３を開閉する開閉床板７と、開閉床板７と協働して機械室３を閉じるコームプレート８とを備えている。開閉床板７の裏面には、防滴板９によって防滴保護された制御盤１０が取り付けられている。
【００１０】
開閉床板７を開閉可能に支持するヒンジ機構６は、制御盤１０が取り付けられた開閉床板７を、図１および３に示す閉位置と、図２および４に示すように反転した開位置とに回転移動して開閉できるようにするものである。即ち、開閉床板７が図１および３の閉位置にあるときには、開閉床板７は、乗場床１の床面とも、コームプレート８の上面とも同じ平面内にあって機械室３が完全に閉ざされている。また制御盤１０は開閉床板７の下面に位置していて完全に機械室３内に格納されている。開閉床板７がヒンジ機構６まわりに反転して図２および４に示す開位置にあるときには、開閉床板７は、その表面を乗場床１に対向させて制御盤１０を上に乗せた状態で、乗場床１上に載置されていて、機械室３が開放されている。図２に示す開閉床板７のヒンジ機構６から遠い側即ち反ヒンジ側には後に図５〜７に関連して説明する床板保護を兼ねた取っ手１１が取り付けられている。
【００１１】
ヒンジ機構６は、一端で、開閉床板７に取り付けられたブラケット１２にヒンジピン１３によって枢着されたガイドロッド１４と、ガイドロッド１４の他端に設けられたガイドピン１５と、ガイドピン１５に係合して案内するガイドスロット１６を持ったガイドプレート１７とを備えている。ガイドスロット１６は高さの異なる第１および第２の位置に配置されて、ガイドピン１５が選択的に係合してその位置に保持される第１および第２の端部１８および１９を持っている。
【００１２】
図示の例では、ガイドスロット１６は、ガイドピン１５を第１および第２の位置にある第１および第２の端部１８および１９間でＣ字型に半円状に延びたものである。また、第１および第２の端部１８、１９の位置が水平方向にもずれていて、乗場床１の機械室３への入口開口の縁部と干渉しないようにしてある。ガイドスロット１６の第１の端部１８にはＣ字型の上端から僅かに下方に下がった凹部が形成されていて、この位置にまで移動してきたガイドピン１５を受け入れて底に保持できるようにしてある。第２の端部１９はガイドスロット１６の再下端であるので特にガイドピン１５を保持するための凹部を設ける必要はない。ガイドスロット１６は、２つの端部１８、１９内にガイドピン１５を保持できて端部１８、１９間でガイドピン１５が移動できるように互いに連通させるものであれば、直線状のものであっても、任意の曲線状のものであってもよい。
【００１３】
図１および３の閉位置にある開閉床板７を開いて図２および４の開位置にするためには、図２に示す取っ手１１を用いる。図５〜７に詳細を示すように、取っ手１１は握り部分２１と、握り部分２１の両端に連結されて、握り部分２１を開閉床板７から所定の距離保って支持するための支柱部分２２と、握り部分２１の中央部裏面から突出した取付ネジ２３とを備えている。図示の例では支柱部分２２の上部にドーム状の当たり部２４が設けられている。
【００１４】
開閉床板７には図３に示されているように取付ネジ２３がネジ係合できるネジ穴２５が設けられている。このネジ穴２５にはエスカレータ装置の通常運転時には化粧ネジ（図示してない）がネジ係合していて、異物がネジ穴２５に入り込まないようにネジ穴２５を隠しているので、先ず化粧ネジを外して取っ手１１の取付ネジ２３をネジ穴２５に挿入して取っ手１１を回転させて締結させる。取っ手１１を持って持ち上げれば、図７に示すように開閉床板７がヒンジ機構６回りに回転して機械室３が開放される。開閉床板７を更に持ち上げてヒンジ機構６まわりに反転させて図２および４に示す開位置にすると、取っ手１１の当たり部２４が乗場床１の床面に接触して開閉床板７が乗場床１に直接接触しないで支持される。
【００１５】
このような開閉床板７の閉位置から開位置への移動の間に、ヒンジ機構６のガイドピン１５はガイドスロット１６の下端の第２の端部１９からＣ字型の溝に沿って移動して上端の第１の端部１８に移動し、ガイドロッド１４も平行移動してヒンジピン１３が乗場床１の表面よりも上方に突き出て開閉床板７のヒンジ側を乗場床１から離間させている。一方、開閉床板７はガイドロッド１４に対してヒンジピン１３回りに約１８０°回転して図２および４に示す開位置にできる。このように、このヒンジ機構６は、ヒンジピン１３の位置が開位置と閉位置とで移動しているので、移動枢着点型のヒンジである。
【００１６】
図２および４に示す開位置では、制御盤１０が乗場床１の上方の広い空間内にあるので、制御盤によって行う保守点検作業等を極めて容易かつ安全に行うことができる。必要な作業が終了したら、開動作と逆の動作により開閉床板７を図１および３に示す閉位置に戻して作業を完了する。
【００１７】
以上説明したエスカレータ装置の実施の形態によれば、エスカレータ装置の開閉床板がヒンジ機構によって支持されているため、開閉床板を回転させて開けると同時に制御盤の搬出が完了するため、エスカレータ機械室内に広い作業スペースが確保でき、配線ケーブルが短くて済む。また、機械室全体を防滴構造にすうｒ必要があった。本方式では、制御盤の防滴対策を簡素化でき、また、エスカレータ上部機械室の防滴対策も不要化、もしくは、上部機械室内設置の機器（主にドライブユニット）に限定した防滴対策のみで済む。床板と制御盤は必ずしも一体にしなくても、継ぎ目をコーキングすることで防滴対策とすることでも良い。更に、開閉床材を開位置にしたとき、取っ手の当たり部が乗場床面に接触するので、建築床表面に傷を付けない保護方法としてのベニヤ板やウエスなどの養生材が不要になり、養生材の削減と養生材の運搬の省力化を図ることができる。
【図面の簡単な説明】
【００１８】
【図１】この発明のエスカレータ装置の開閉床板が閉位置にあって機械室部分が閉じた状態での概略断面図である。
【図２】図１のエスカレータ装置の開閉床板が開位置にあって機械室部分が開いた状態での概略断面図である。
【図３】図１のエスカレータ装置の開閉床板が閉位置の状態の概略斜視図である。
【図４】図１のエスカレータ装置の開閉床板が開位置の状態の概略斜視図である。
【図５】開閉床板に取り付ける取っ手の斜め上から見た斜視図である。
【図６】取っ手の斜め下から見た斜視図である。
【図７】取っ手を取り付けて開閉床板を部分的に開けた状態の概略斜視図である。
【符号の説明】
【００１９】
１  乗場床、３  機械室、６  ヒンジ機構、７  開閉床板、９  防滴板、１０  制御盤、１４  ガイドロッド、１５  ガイドピン、１６  ガイドスロット、１８  第１の位置、１９  第２の位置。
【図１】
2010018424.tif 000003
【図２】
2010018424.tif 000004
【図３】
2010018424.tif 000005
【図４】
2010018424.tif 000006
【図５】
2010018424.tif 000007
【図６】
2010018424.tif 000008
【図７】
2010018424.tif 000009